(57)【要約】      （修正有）【課題】生産コストを低減でき、環境に優しく、また、市場競争力を向上させることができる歯間ブラシとその保護蓋を提供する。【解決手段】少なくとも、歯間ブラシ取っ手１０と、歯間ブラシヘッド２０と、を有し、前記歯間ブラシ取っ手は、一側に前記歯間ブラシヘッドと嵌合して結合するための嵌係部１１が凸設してあり、前記歯間ブラシヘッドは、一端に前記歯間ブラシ取っ手の嵌係部に対応し前記歯間ブラシ取っ手と嵌合して結合するための嵌め込み部が凹設してあり、且つ前記歯間ブラシヘッドの他端には歯同士の間の隙間を清掃するための刷毛部２３が設けてある。【選択図】図４Ｂ
0003139202.tif 000002
【実用新案登録請求の範囲】
【請求項１】
少なくとも、歯間ブラシ取っ手（１０）と、歯間ブラシヘッド（２０）と、を有する歯間ブラシであって、
前記歯間ブラシ取っ手（１０）は、一側に前記歯間ブラシヘッド（２０）と嵌合して結合するための嵌係部（１１）が凸設してあり、
前記歯間ブラシヘッド（２０）は、一端に前記歯間ブラシ取っ手（１０）の嵌係部（１１）に対応し前記歯間ブラシ取っ手（１０）と嵌合して結合するための嵌め込み部（２１）が凹設してあり、且つ前記歯間ブラシヘッド（２０）の他端には歯同士の間の隙間を清掃するための刷毛部（２３）が設けてあること
を特徴とする歯間ブラシ。
【請求項２】
前記歯間ブラシ取っ手（１０）の前記嵌係部（１１）は、前記凸設に替えて凹設し、且つ前記歯間ブラシヘッド（２０）の前記嵌め込み部（２１）は、前記凹設に替えて凸設してもよいことを特徴とする請求項１に記載の歯間ブラシ。
【請求項３】
少なくとも、歯間ブラシ取っ手（１０）と、歯間ブラシヘッド（２０）と、保護蓋（３０）と、を有し、前記歯間ブラシ取っ手（１０）は、一側に前記歯間ブラシヘッド（２０）と嵌合して結合するための嵌係部（１１）が凸設してあり、前記歯間ブラシヘッド（２０）は、一端に前記歯間ブラシ取っ手（１０）の嵌係部（１１）に対応し前記歯間ブラシ取っ手（１０）と嵌合して結合するための嵌め込み部（２１）が凹設してあり、且つ前記歯間ブラシヘッド（２０）の他端には歯同士の間の隙間を清掃するための刷毛部（２３）が設けられ、
前記歯間ブラシヘッド（２０）には、前記保護蓋（３０）を脱着自在に係止するための環状突起（２２）が設けてあり、
前記保護蓋（３０）は、中空の略円筒形状を呈し、一端の内周面には、前記歯間ブラシヘッド（２０）に設けられた前記環状突起（２２）と脱着自在に係止するための環状突起（３１）が設けてあること
を特徴とする歯間ブラシとその保護蓋。
【考案の詳細な説明】
【技術分野】
【０００１】
本考案は、歯間ブラシとその保護蓋に関するものである。
【背景技術】
【０００２】
従来の歯間ブラシＡ１０、Ａ１０ａは、図１及び図２に示すように、一体成形されたものであることが多く、且つ、歯間ブラシＡ１０、Ａ１０ａの全体が使い捨てのものとして取り扱われ、使用後は破棄されていた。
【考案の開示】
【考案が解決しようとする課題】
【０００３】
しかしながら、このような従来の歯間ブラシＡ１０、Ａ１０ａには次のような欠点があった。
（１）従来の歯間ブラシＡ１０、Ａ１０ａは、実質的に使用される部分が歯間ブラシの刷毛部Ａ１１、Ａ１１ａだけであるにもかかわらず、歯間ブラシＡ１０、Ａ１０ａを使った後、全体を廃棄するのは、極めて非経済的であった。
【０００４】
（２）従来の歯間ブラシＡ１０、Ａ１０ａの全体の体積は大きいため、使用した後に全体を廃棄してしまうと、資源不足の現在では、生産コストが増大し、環境にも悪影響を及ぼし、また、市場競争力の低下を招きかねない。
【０００５】
本考案の主な目的は、このような問題に鑑み、歯間ブラシヘッドのみを使い捨て式にして、歯間ブラシ全体を廃棄する必要をなくすことにより、生産コストを低減でき、環境に優しく、また、市場競争力を向上させることもできる歯間ブラシを提供することにある。
【０００６】
また、本考案の次の目的は、歯間ブラシと脱着自在に結合可能であり、歯間ブラシの刷毛部を保護可能な保護蓋を提供することにある。
【課題を解決するための手段】
【０００７】
上記目的を達成するためになされた本願の考案は、少なくとも、歯間ブラシ取っ手と、歯間ブラシヘッドと、を有する歯間ブラシであって、前記歯間ブラシ取っ手は、一側に前記歯間ブラシヘッドと嵌合して結合するための嵌係部が凸設してあり、前記歯間ブラシヘッドは、一端に前記歯間ブラシ取っ手の嵌係部に対応し前記歯間ブラシ取っ手と嵌合して結合するための嵌め込み部が凹設してあり、且つ前記歯間ブラシヘッドの他端には歯同士の間の隙間を清掃するための刷毛部が設けてあることを特徴とする歯間ブラシであることを要旨としている。
【０００８】
また、本願の考案では、前記歯間ブラシ取っ手の前記嵌係部は、前記凸設に替えて凹設し、且つ前記歯間ブラシヘッドの嵌め込み部は、前記凹設に替えて凸設してもよいことを特徴とする請求項１に記載の歯間ブラシであることを要旨としている。
【０００９】
また、本願の考案では、少なくとも、歯間ブラシ取っ手と、歯間ブラシヘッドと、保護蓋と、を有し、前記歯間ブラシ取っ手は、一側に前記歯間ブラシヘッドと嵌合して結合するための嵌係部が凸設してあり、前記歯間ブラシヘッドは、一端に前記歯間ブラシ取っ手の嵌係部に対応し前記歯間ブラシ取っ手と嵌合して結合するための嵌め込み部が凹設してあり、且つ前記歯間ブラシヘッドの他端には歯同士の間の隙間を清掃するための刷毛部が設けられ、前記歯間ブラシヘッドには、前記保護蓋を脱着自在に係止するための環状突起が設けてあり、前記保護蓋は、中空の略円筒形状を呈し、一端の内周面には、前記歯間ブラシヘッドに設けられた前記環状突起と脱着自在に係止するための環状突起が設けてあることを特徴とする歯間ブラシとその保護蓋であることを要旨としている。
【考案の効果】
【００１０】
本考案の歯間ブラシとその保護蓋によれば、次のような効果がある。
【００１１】
（１）従来の歯間ブラシＡ１０、Ａ１０ａの使用は、使われる部分が歯間ブラシの刷毛部Ａ１１、Ａ１１ａのみであるにもかかわらず、歯間ブラシＡ１０、Ａ１０ａの使用後、その全体を廃棄するほかなく、極めて非経済的であったが、本考案の歯間ブラシとその保護蓋によれば、歯間ブラシヘッド２０と歯間ブラシ取っ手１０とを別体にし、且つ歯間ブラシヘッド２０を歯間ブラシ取っ手１０と脱着自在な使い捨てのものにできるため、毎回の使用後に歯間ブラシヘッドのみを交換すれば、新品と同様にして使用することが可能となる。また、歯間ブラシ取っ手１０の一側には歯間ブラシヘッド２０と嵌合して結合するための嵌係部１１が凸設してあり、そして歯間ブラシヘッド２０は、一端には前記歯間ブラシ取っ手１０の嵌係部１１に対応し前記歯間ブラシ取っ手１０と嵌合して結合するための嵌係部１１が凹設してあるので、歯間ブラシ取っ手１０と歯間ブラシヘッド２０との着脱が更に容易になり、利便性が極めて良い。
【００１２】
（２）従来の歯間ブラシＡ１０、Ａ１０ａの使用は、歯間ブラシＡ１０、Ａ１０ａの刷毛部Ａ１１、Ａ１１ａが外部に露出したままであったので、衛生上の不安があったが、本考案の使い捨て歯間ブラシとその保護蓋によれば、歯間ブラシヘッド２０には、保護蓋３０に脱着自在に係止するための環状突起２２が設けてあり、且つ保護蓋３０は、中空の円筒形状を呈し、一端の内周面には、歯間ブラシヘッド２０に設けられた環状突起２２と脱着自在に係止するための環状突起３１が設けてあることにより、従来の歯間ブラシＡ１０、Ａ１０ａの刷毛部Ａ１１、Ａ１１ａのように外部に露出しないため、衛生上の不安を解消することが可能である。
【考案を実施するための最良の形態】
【００１３】
以下、添付図面を参照して本考案の好適な実施の形態を詳細に説明する。
【００１４】
まず、図３、図４Ａ及び図４Ｂを参照する。本考案の歯間ブラシとその保護蓋は、少なくとも、一つの歯間ブラシ取っ手１０と、一つの歯間ブラシヘッド２０と、一つの保護蓋３０と、を有する。歯間ブラシ取っ手１０は、一側には歯間ブラシヘッド２０と嵌合して結合するための嵌係部１１が凸設してある。また、歯間ブラシヘッド２０は、一端には歯間ブラシ取っ手１０の嵌係部１１に対応し歯間ブラシ取っ手１０と嵌合して結合するための嵌め込み部２１が凹設してある。歯間ブラシヘッド２０には、保護蓋３０を脱着自在に係止するための環状突起２２が設けてある。また、歯間ブラシヘッド２０の他端には歯同士の間の隙間を清掃するための刷毛部２３が設けてある。保護蓋３０は、中空の略円筒形状を呈し、一端の内周面には、歯間ブラシヘッド２０に設けられた環状突起２２と脱着自在に係止するための環状突起３１が設けている。なお、環状突起２２は、同様な効果を有する別の方式（例えば突起、又は溝など）を採用してもよく、また、環状突起３１は、環状突起２２に応じて例えば凹み、又はフックなどを採用してもよい。なお、歯間ブラシ取っ手１０の嵌係部１１を凹設し、且つ歯間ブラシヘッド２０の嵌め込み部２１を凸設しても、同じ効果を得ることができる。また、歯間ブラシ取っ手１０と歯間ブラシヘッド２０とに凹凸部１２、２４をそれぞれ複数設ければ、見栄えが更に綺麗になり、また滑り止め効果を得ることができる。なお、歯間ブラシ取っ手１０と歯間ブラシヘッド２０とをそれぞれ相違する色彩にすれば、ユーザの個人のスタイルを表現することが可能である。このように、歯間ブラシヘッド２０と歯間ブラシ取っ手１０とを別体で構成したことにより、実質的に使用する歯間ブラシヘッド２０のみを、歯間ブラシ取っ手１０から外して使い捨てて、新たな歯間ブラシヘッド２０を歯間ブラシ取っ手１０に装着して交換することにより、新品と同様にして使用することが可能となる。
【００１５】
また、図５、図６及び図７を参照する。本考案の別の実施の形態による使い捨て歯間ブラシとその保護蓋は、歯間ブラシヘッド２０ａと歯間ブラシ取っ手１０ａとに設けられた前記凹凸部を無くし、必要な機能性構造だけを残したものである。例えば歯間ブラシ取っ手１０ａの嵌係部１１ａと、歯間ブラシヘッド２０ａの前記嵌係部１１ａに対応する嵌め込み部２１ａと、歯間ブラシヘッド２０ａ及び保護蓋３０に設けられる環状突起部２２ａとなどを残すことにより、全体の構成が更に簡潔になる。また、図８及び図９に示すように、歯間ブラシヘッド２０ａの環状突起部２２ａを従来の歯間ブラシＡ１０、Ａ１０ａに設けてもよく、これにより、従来の歯間ブラシＡ１０、Ａ１０ａは、保護蓋３０を装着することにより保護されるため、衛生上の不安を解消することもできる。
【図面の簡単な説明】
【００１６】
【図１】従来の歯間ブラシの斜視概略図である。
【図２】別の従来の歯間ブラシの斜視概略図である。
【図３】本考案に係る歯間ブラシの分解斜視図である。
【図４Ａ】本考案に係る歯間ブラシの組合状態の斜視図である。
【図４Ｂ】図４ＡのＡ-Ａ線の断面図である。
【図５】本考案に係る歯間ブラシの別の実施例の分解斜視図である。
【図６】本考案に係る歯間ブラシの別の実施例の組合状態の斜視図である。
【図７】本考案に係る歯間ブラシの別の実施例の一部の側面断面図である。
【図８】本考案に係る歯間ブラシの環状突起部と保護蓋の装着状態を示す側面断面図１である。
【図９】本考案に係る歯間ブラシの環状突起部と保護蓋の装着状態チを示す側面断面図２である。
【符号の説明】
【００１７】
１０                歯間ブラシ取っ手
１１                嵌係部
１２、２４          凹凸部
２０                歯間ブラシヘッド
２１                嵌め込み部
２２                環状突起部
２３                刷毛部
３０                保護蓋
Ａ１０、Ａ１０ａ    歯間ブラシ
Ａ１１、Ａ１１ａ    刷毛部
１０ａ              歯間ブラシ取っ手
１１ａ              嵌係部
２０ａ              歯間ブラシヘッド
２１ａ              嵌め込み部
２２ａ              環状突起部
【図１】
0003139202.tif 000003
【図２】
0003139202.tif 000004
【図３】
0003139202.tif 000005
【図４Ａ】
0003139202.tif 000006
【図４Ｂ】
0003139202.tif 000007
【図５】
0003139202.tif 000008
【図６】
0003139202.tif 000009
【図７】
0003139202.tif 000010
【図８】
0003139202.tif 000011
【図９】
0003139202.tif 000012